(57)【要約】【課題】  輝度を向上させるとともに正確な階調表示が可能なフィールド順次駆動方式の液晶表示装置及びその駆動方法を提供する。【解決手段】  リセット電圧またはリセットパルスを印加して液晶の状態を初期化するリセット区間ｔ１〜ｔ６にもバックライトＲＬＥＤ，ＧＬＥＤ，ＢＬＥＤをオンさせて液晶に光を入射する。この結果，リセット区間においても光が液晶を透過することになるため，輝度が向上するとともに，正確な階調表示が実現する。【選択図】  図５
2005338753.tif 000002
【特許請求の範囲】
【請求項１】
第１電極が配置される第１基板と第２電極が配置される第２基板との間に形成される液晶を備え，前記液晶に対して光を透過させる液晶表示装置の駆動方法であって：
（ａ）第１区間に含まれる第１サブ区間において，前記第１電極と第２電極との間に階調データに基づいた階調電圧を印加する段階と；
（ｂ）前記第１区間に含まれる第２サブ区間において，前記第１電極と第２電極との間に前記液晶の状態を特定の状態に初期化するリセット電圧を印加する段階と；
を含み，
前記第１サブ区間のうちの少なくとも一部の区間及び前記第２サブ区間のうちの少なくとも一部の区間において，前記液晶に光を入射することを特徴とする，液晶表示装置の駆動方法。
【請求項２】
前記液晶の特定の状態は，光の透過率が実質的に“０”の状態であることを特徴とする，請求項１に記載の液晶表示装置の駆動方法。
【請求項３】
前記リセット電圧は，入力される階調データに独立的であることを特徴とする，請求項１または２に記載の液晶表示装置の駆動方法。
【請求項４】
前記リセット電圧は，全ての階調データに対して略同一の大きさを有する電圧であることを特徴とする，請求項１〜３のいずれかに記載の液晶表示装置の駆動方法。
【請求項５】
第１電極が配置される第１基板と第２電極が配置される第２基板との間に形成される液晶を備える液晶表示装置の駆動方法であって：
（ａ）第１区間に含まれる第１サブ区間において，前記第１電極と前記第２電極との間に階調データに基づいた階調電圧を印加する段階と；
（ｂ）前記第１区間に含まれる第２サブ区間において，前記第１電極と前記第２電極との間に前記階調データに独立的な第１電圧を印加する段階と；
を含み，
前記第１サブ区間のうちの少なくとも一部の区間及び前記第２サブ区間のうちの少なくとも一部の区間において，前記液晶に光を入射することを特徴とする，液晶表示装置の駆動方法。
【請求項６】
前記第１電圧は，全ての階調データに対して略同一の大きさを有する電圧であることを特徴とする，請求項５に記載の液晶表示装置の駆動方法。
【請求項７】
第１電極が配置される第１基板と第２電極が配置される第２基板との間に形成される液晶を備え，前記液晶に光を透過させる液晶表示装置の駆動方法であって：
（ａ）第１区間に含まれる第１サブ区間において，前記第１電極と前記第２電極との間に階調データに基づいた階調波形を印加する段階と；
（ｂ）前記第１区間に含まれる第２サブ区間において，前記第１電極と前記第２電極との間に前記液晶の状態を特定の状態に初期化するリセットパルスを印加する段階と；
を含み，
前記第１サブ区間のうちの少なくとも一部の区間及び前記第２サブ区間のうちの少なくとも一部の区間において，前記液晶に光を入射することを特徴とする，液晶表示装置の駆動方法。
【請求項８】
前記液晶の特定の状態は，光の透過率が実質的に“０”の状態であることを特徴とする，請求項７に記載の液晶表示装置の駆動方法。
【請求項９】
前記リセットパルスは，入力される階調データに独立的であることを特徴とする，請求項７または８に記載の液晶表示装置の駆動方法。
【請求項１０】
前記リセットパルスは，全ての階調データに対して略同一のパルス幅を有するパルスであることを特徴とする，請求項７〜９のいずれかに記載の液晶表示装置の駆動方法。
【請求項１１】
複数の走査線，前記走査線と絶縁されて交差する複数のデータ線，及び前記走査線と前記データ線によって囲まれた領域に形成され，各々前記走査線と前記データ線に接続されているスイッチング素子を有して行列形態に配列された複数の画素を含み，複数の光それぞれに割り当てられたフィールド毎に，前記各画素に対して前記各光を順に透過させる液晶表示装置の駆動方法であって：
前記各フィールドは，
前記第１電極と前記第２電極との間に階調データに基づいた階調電圧または階調波形を印加する第１サブ区間と；
前記第１電極と前記第２電極との間に前記階調データに独立的なリセット電圧またはリセットパルスを印加する第２サブ区間と；
を含み，
前記第１サブ区間のうちの少なくとも一部の区間及び前記第２サブ区間のうちの少なくとも一部の区間において，前記液晶に所定の光を入射することを特徴とする，液晶表示装置の駆動方法。
【請求項１２】
走査信号を伝達する複数の走査線，前記走査線と絶縁されて交差する複数のデータ線，及び前記走査線と前記データ線によって囲まれた領域に形成され，各々前記走査線と前記データ線に接続されているスイッチング素子を有して行列形態に配列された複数の画素を含む液晶表示装置パネルと；
前記走査線に走査信号を順に供給するゲートドライバと；
階調データに対応する階調波形を生成する階調波形生成部と；
前記階調波形生成部から出力された階調波形と液晶の状態を特定の状態に初期化するためのリセットパルスとを所定のデータ線に供給するデータドライバと；
所定の画素に複数の光を順に与える光源と；
を含み，
前記データドライバが前記リセットパルスを前記所定のデータ線に供給しているときに前記光が液晶に入射されることを特徴とする，液晶表示装置。
【請求項１３】
前記階調波形生成部は，
階調波形パターンを保存するパターンテーブル部と；
第１電圧及び第２電圧を生成する定電圧発生部と；
前記第１電圧と前記第２電圧のうちの一つの電圧を選択するスイッチと；
前記入力される階調データに対応する階調波形パターンを前記パターンテーブル部から抽出して，抽出した階調波形パターンによって前記スイッチの動作を制御する電圧印加時間制御部と；
を含むことを特徴とする，請求項１２に記載の液晶表示装置。
【請求項１４】
前記リセットパルスは，入力される階調データに独立的であることを特徴とする，請求項１２または１３に記載の液晶表示装置。
【請求項１５】
前記液晶の特定の状態は，光の透過率が実質的に“０”の状態であることを特徴とする，請求項１２〜１４のいずれかに記載の液晶表示装置。
【発明の詳細な説明】
【技術分野】
【０００１】
本発明は，液晶表示装置及びその駆動方法に関する。
【背景技術】
【０００２】
近来，パーソナルコンピュータやテレビなどの軽量化及び薄型化によって，ディスプレイ装置も軽量化及び薄型化が要求されており，このような要求に応じて，陰極線管（ＣＲＴ）の代わりに液晶表示装置（ＬＣＤ）のようなフラットパネル型ディスプレイが開発されている。
【０００３】
液晶表示装置は，二つの基板の間に注入されている異方性誘電率を有する液晶物質に電界を印加し，この電界の強さを調節して外部の光源（バックライト）から出射され基板を透過する光の量を調節することによって，所望の画像を得る表示装置である。
【０００４】
このような液晶表示装置は，携帯が簡便なフラットパネル型ディスプレイの中の代表的なものであって，この中でも薄膜トランジスタ（ＴＦＴ）をスイッチング素子として利用したＴＦＴ液晶表示装置が主流となっている。
【０００５】
ＴＦＴ液晶表示装置において，各画素は，液晶を誘電体として有するキャパシタ，つまり液晶キャパシタでモデリングすることができる。このような液晶表示装置での各画素の等価回路は，図１の通りである。
【０００６】
図１に示したように，液晶表示装置の各画素は，データ線Ｄｍ及び走査線Ｓｎに各々ソース電極とゲート電極が接続されるＴＦＴ１０と，ＴＦＴ１０のドレイン電極と共通電圧Ｖｃｏｍの供給源との間に接続される液晶キャパシタＣｌと，ＴＦＴ１０のドレイン電極に接続されるストレージキャパシタＣｓｔとを含む。
【０００７】
図１に示した回路において，走査線Ｓｎに走査信号が印加されてＴＦＴ１０がターンオンすると，データ線Ｄｍに供給されたデータ電圧ＶｄがＴＦＴ１０を通じて各画素電極（図示せず）に印加される。この結果，画素電極に印加される画素電圧Ｖｐと共通電圧Ｖｃｏｍとの差に相当する電界が液晶（図１では等価的に液晶キャパシタＣ１で示した）に印加されて，この電界の強さに対応する透過率で光が液晶を透過するようにする。このとき，画素電圧Ｖｐは，１フレームまたは１フィールドの間維持されなければならない。図１のストレージキャパシタＣｓｔは，画素電極に印加された画素電圧Ｖｐを維持するために補助的に使用される。
【０００８】
一般に，液晶表示装置は，カラーイメージを表示する方式によってカラーフィルタ方式とフィールド順次駆動方式の２種類の方式に分けることができる。
【０００９】
カラーフィルタ方式の液晶表示装置は，二つの基板のうちの一つの基板にレッド（Ｒ），グリーン（Ｇ），ブルー（Ｂ）の三原色からなるカラーフィルタ層を形成し，このカラーフィルタ層を透過する光の量を調節することによって，所望のカラーをディスプレイする。カラーフィルタ方式の液晶表示装置は，単一光源から照射された光をＲ，Ｇ，Ｂのカラーフィルタ層に透過させ，その際透過する光の量を調節して，さらにＲ，Ｇ，Ｂの色を合成することによって，所望のカラーをディスプレイする。
【００１０】
このように単一光源と３色のカラーフィルタ層とを利用してカラーをディスプレイする液晶表示装置においては，Ｒ，Ｇ，Ｂの各領域に各カラーに対応する単位画素が必要となるため，白黒を表示する場合より３倍多くの画素が必要となる。したがって，高解像度の画像を得るためには，液晶表示装置パネルの精巧な製造技術が要求される。
【００１１】
また，液晶表示装置の基板に別途のカラーフィルタ層を形成しなければならず，その分，製造工程が増えてしまう。しかも，カラーフィルタには，高い光の透過率が要求される。
【００１２】
一方のフィールド順次駆動方式の液晶表示装置は，Ｒ，Ｇ，Ｂの各色の独立した光源を順に周期的に点灯させ，その点灯周期に同期して各画素に対応する色信号を印加することによって，フル（ｆｕｌｌ）カラーの画像を得るものである。つまり，フィールド順次駆動方式の液晶表示装置によれば，一つの画素をＲ，Ｇ，Ｂの単位画素に分割せず，一つの画素にＲ，Ｇ，Ｂのバックライトから出力されるＲ，Ｇ，Ｂの三原色の光を時分割的に順にディスプレイすることによって，目の残像効果を利用してカラーイメージをディスプレイする。
【００１３】
このようなフィールド順次駆動方式は，アナログ駆動方式とデジタル駆動方式とに区分される。
【００１４】
アナログ駆動方式の液晶表示装置は，表示しようとする階調数に対応する複数の階調電圧を設定し，この階調電圧のうちの階調データに相当する一つの階調電圧を選択して，選択された階調電圧で液晶パネルを駆動することによって，印加された階調電圧に対応する透過光量で階調表示を行う。
【００１５】
図２は，従来のアナログ駆動方式の液晶表示装置における駆動電圧と光の透過率（透過光量）との関係を示す図面である。
【００１６】
図２において，駆動電圧とは液晶に印加される電圧であり，光の透過率とは液晶に入射された光に対する透過した光の比率（量）である。つまり，光の透過率は，光を透過させる液晶のねじれの程度に対応する。
【００１７】
図２を参照すると，Ｒカラーを表示するためのＲフィールド区間Ｔｒでは，Ｖ１１レベルの駆動電圧が液晶に印加されてＶ１１レベルの駆動電圧に相当する光が液晶を透過する。Ｇカラーを表示するためのＧフィールド区間Ｔｇでは，Ｖ１２レベルの駆動電圧が印加されてＶ１２レベルの駆動電圧に相当する光が液晶を透過する。そして，Ｂカラーを表示するためのＢフィールド区間Ｔｂでは，Ｖ１３レベルの駆動電圧が印加されてＶ１３レベルの駆動電圧に相当する光が液晶を透過する。Ｔｒ，Ｔｇ，Ｔｂ区間で透過した各々Ｒ，Ｇ，Ｂの光（または，これらの合成）により，所望のカラーイメージがディスプレイされる。
【００１８】
これに対して，デジタル駆動方式の液晶表示装置は，液晶に印加される駆動電圧を一定にし，電圧印加時間を制御して階調表示を行う。このようなデジタル駆動方式によれば，駆動電圧を一定に維持し，電圧印加状態及び電圧非印加状態をタイミング的に制御して，液晶を透過する累積光の量を調節することによって階調を表示する。
【００１９】
図３は，従来のデジタル駆動方式の液晶表示装置の駆動方法を説明するための波形図であって，所定のビットの駆動データに対応する駆動電圧の波形及び各駆動電圧による液晶の光の透過率を示している。
【００２０】
図３に示すように，各階調に相当する階調データが所定のビット，例えば７ビットのデジタル信号で提供され，７ビットのデータに対応する階調波形が液晶に印加される。そして，印加された階調波形に応じて液晶の光の透過率が決定されて，階調が表示される。
【００２１】
ところで，従来のフィールド順次駆動方式によれば，現在表示しようとする階調（例えば，Ｒの階調）の実行値応答が直前に表示された階調（例えば，Ｇの階調）によって変わるため，正確に階調表示ができない可能性があった。つまり，現在実際に液晶に供給される画素電圧Ｖｐは，現在のフィールド（例えば，Ｒフィールド）に供給される階調電圧（または階調波形）だけでなく，直前のフィールド（例えば，Ｇフィールド）に供給される階調電圧（または階調波形）によっても決定される。
【００２２】
このように，直前に表示された階調によって実効値応答が変わるフィールド順次駆動方式の問題点を解決するために，リセットパルスを利用したフィールド順次駆動方式が案出されている。この方式は，下記の特許文献１に開示されている。
【００２３】
図４は，特許文献１に示されたリセットパルスを利用したフィールド順次駆動方式を説明する図面である。図４において，区間Ｔ３１〜Ｔ３６は，各々Ｒ，Ｇ，Ｂに対する階調表示が行われるＲフィールド，Ｇフィールド，Ｂフィールド区間を示す。
【００２４】
図４に示したように，各区間Ｔ３１〜Ｔ３６が終了する直前の所定の時間ｔ３１〜ｔ３６に，入力される階調データに関係なく，階調データの最大値より大きい所定の電圧（リセット電圧）が液晶に印加される。このようなリセット電圧の印加によって，各区間Ｔ３１〜Ｔ３６が終了する時点で，液晶の状態は，全て同一な状態（例えば，光を透過させないブラック状態，光の透過率が“０”である状態）に初期化される。
【００２５】
したがって，各区間Ｔ３１〜Ｔ３６において，階調データに応じた印加電圧によって液晶が駆動されるとき，直前に表示された階調に関係なく液晶の状態が全て同一な状態になるため，直前に表示された階調が現在の階調表示区間に影響を与えない。
【００２６】
【特許文献１】米国特許第６，５６７，０６３号明細書
【発明の開示】
【発明が解決しようとする課題】
【００２７】
しかしながら，特許文献１に記載された発明によれば，リセット電圧が印加される区間（リセット区間）では，バックライトＲＬＥＤ，ＧＬＥＤ，ＢＬＥＤがオフするため，光が液晶を透過しなくなる。このように従来のリセット方式を採用すると，各Ｒ，Ｇ，Ｂのフィールドにおいて各々のＲ，Ｇ，Ｂの光源がオンする時間がリセット区間だけ短くなるため，リセット電圧を印加しない方式に比べて輝度が低下していた。
【００２８】
そこで，本発明は，このような問題に鑑みてなされたもので，その目的は，輝度を向上させるとともに正確な階調表示が可能な新規かつ改良されたフィールド順次駆動方式の液晶表示装置を提供することにある。
【課題を解決するための手段】
【００２９】
上記課題を解決するために，本発明の第１の観点によれば，第１電極が配置される第１基板と第２電極が配置される第２基板との間に形成される液晶を備え，液晶に対して光（例えば，レッド光，グリーン光，ブルー光）を順に透過させる液晶表示装置の駆動方法が提供される。そして，この方法は，第１区間に含まれる第１サブ区間において，第１電極と第２電極との間に階調データに基づいた階調電圧を印加する（ａ）段階と，第１区間に含まれる第２サブ区間において，第１電極と第２電極との間に液晶の状態を特定の状態に初期化するリセット電圧を印加する（ｂ）段階と，を含むことを特徴としている。しかもこの方法は，第１サブ区間のうちの少なくとも一部の区間及び第２サブ区間のうちの少なくとも一部の区間の間において，液晶に光を入射することを特徴としている。
【００３０】
上記課題を解決するために，本発明の第２の観点によれば，第１電極が配置される第１基板と第２電極が配置される第２基板との間に形成される液晶を備えた液晶表示装置の駆動方法が提供される。そして，この方法は，第１区間に含まれる第１サブ区間において，第１電極と第２電極との間に階調データに基づいた階調電圧を印加する（ａ）段階と，第１区間に含まれる第２サブ区間において，第１電極と第２電極との間に階調データに独立的な第１電圧を印加する段階と，を含むことを特徴としている。しかもこの方法は，第１サブ区間のうちの少なくとも一部の区間及び第２サブ区間のうちの少なくとも一部の区間において，液晶に光を入射することを特徴としている。
【００３１】
上記課題を解決するために，本発明の第３の観点によれば，第１電極が配置される第１基板と第２電極が配置される第２基板との間に形成される液晶を備え，液晶に光（例えば，レッド光，グリーン光，ブルー光）を順に透過させる液晶表示装置の駆動方法が提供される。そして，この方法は，第１区間に含まれる第１サブ区間において，第１電極と第２電極との間に階調データに基づいた階調波形を印加する（ａ）段階と，第１区間に含まれる第２サブ区間において，第１電極と第２電極との間に液晶の状態を特定の状態に初期化するリセットパルスを印加する段階と，を含むことと特徴としている。第１サブ区間のうちの少なくとも一部の区間及び第２サブ区間のうちの少なくとも一部の区間において，液晶に光を入射することを特徴としている。
【００３２】
上記課題を解決するために，本発明の第４の観点によれば，複数の走査線，走査線と絶縁されて交差する複数のデータ線，及び走査線とデータ線によって囲まれた領域に形成され，各々走査線とデータ線に接続されているスイッチング素子を有して行列形態に配列された複数の画素を含み，複数の光（例えば，レッド光，グリーン光，ブルー光）それぞれに割り当てられたフィールド（例えば，レッドフィールド，グリーンフィールド，ブルーフィールド）毎に，各画素に対して前記各光を順に透過させる液晶表示装置の駆動方法が提供される。そして，この方法において，各フィールドは，第１電極と第２電極との間に階調データに基づいた階調電圧または階調波形を印加する第１サブ区間と，第１電極と第２電極との間に階調データに独立的なリセット電圧またはリセットパルスを印加する第２サブ区間と，を含み，第１サブ区間のうちの少なくとも一部の区間及び第２サブ区間のうちの少なくとも一部の区間の間において，液晶に所定の光を入射することを特徴としている。
【００３３】
上記課題を解決するために，本発明の第５の観点によれば，走査信号を伝達する複数の走査線，走査線と絶縁されて交差する複数のデータ線，及び走査線とデータ線によって囲まれた領域に形成され，各々走査線とデータ線に接続されているスイッチング素子を有して行列形態に配列された複数の画素を含む液晶表示装置パネルと，走査線に走査信号を順に供給するゲートドライバと，階調データに対応する階調波形を生成する階調波形生成部と，階調波形生成部から出力された階調波形と液晶の状態を特定の状態に初期化するためのリセットパルスとを所定のデータ線に供給するデータドライバと，所定の画素に複数の光を順に与える光源と，を含み，データドライバがリセットパルスを所定のデータ線に供給しているとき（その全期間または一部期間），光が液晶に入射されることを特徴としている。
【発明の効果】
【００３４】
本発明によれば，液晶の状態を初期化させるためのリセット区間においても光が画素（液晶）を透過させるため，輝度を向上させるとともに正確に階調表示を行うことが可能となる。
【発明を実施するための最良の形態】
【００３５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３６】
以下の説明において，「リセット」とは，液晶表示装置に備えられた液晶物質をブラック状態（光が透過しない状態）とするために電圧（または波形）を印加することを意味する。また，「階調電圧」は，互いに異なる電圧レベルを有する電圧であり，「階調波形」は，オン電圧の幅及びオフ電圧の幅が互いに異なる波形である。「光の透過率」は，液晶に一定の光が入射されたときの入射光に対する透過光の比率であり，「光の透過量」は，液晶に実際に光が入射され，そのうち液晶を透過した光の量である。
【００３７】
〈第１の実施の形態〉
図５及び図６を参照しながら，本発明の第１の実施の形態に係る液晶表示装置の駆動方法を説明する。本実施の形態に係る液晶表示装置の駆動方法は，アナログ方式のフィールド順次駆動方法に適用されるリセット駆動方法に関する。
【００３８】
図５において，区間ＴＲ１，ＴＲ２はＲに対する階調表示が行なわれるＲフィールドであり，区間ＴＧ１，ＴＧ２はＧに対する階調表示が行なわれるＧフィールドであり，区間ＴＢ１，ＴＢ２はＢに対する階調表示が行なわれるＢフィールドである。
【００３９】
図５に示すように，各区間ＴＲ１，ＴＲ２，ＴＧ１，ＴＧ２，ＴＢ１，ＴＢ２が終了する直前の所定の時間ｔ１〜ｔ６（以下，この時間区分を「リセット区間」という）において，液晶の状態を全て同一な状態，例えば，光を透過させないブラック状態（光の透過率が“０”の状態）に初期化するためのリセット電圧が液晶に印加される。
【００４０】
本実施の形態においては，リセット電圧として，入力される階調データに関係なく階調データの最大値より大きい所定の電圧が用いられる。このとき，リセット電圧は，液晶にどのようなレベルの電圧が印加された場合もこの液晶の状態を初期化させる（つまり，ブラック状態とする）ことができる大きさに調整されることが好ましい。なお，図５の動作例では，リセット電圧は，入力される階調データと関係のない一定の電圧レベルに設定されているが，入力される階調データに応じてリセット電圧のレベルを調整するようにしてもよい。
【００４１】
このようなリセット電圧の印加によって，各フィールド区間が終了する時点で，液晶の状態は全てブラック状態になる。したがって，各フィールド区間ＴＲ１〜ＴＢ２において，階調データに対応する印加電圧によって液晶が駆動されるとき，現在のフィールドの画素に印加された階調電圧が，その次のフィールドの画素の階調表示に影響を与えなくなる。
【００４２】
そして，本実施の形態によれば，リセット区間ｔ１〜ｔ６においても，所定のバックライトがオンする。例えば，図５に示したように，Ｒフィールドのリセット区間ｔ１にもＲのバックライトがオン状態にある。
【００４３】
このように，本実施の形態によれば，各液晶の状態を初期化するためのリセット区間においてもバックライトがオンして，液晶に光が入射される。このため，図５に示したように，リセット電圧が印加されてから液晶がブラック状態になるまでの区間にも光が液晶を透過することになる。したがって，図４に示した従来の方式に比べて，輝度を向上させることができる。
【００４４】
図６は，本実施の形態に係るリセット電圧を印加するための液晶表示装置を示す図面である。
【００４５】
図６に示したように，本実施の形態に係る液晶表示装置は，液晶表示装置パネル１００，走査ドライバ２００，データドライバ３００，タイミング制御部４００，階調電圧発生部５００，Ｒ，Ｇ，Ｂの光を各々出力する発光ダイオード６００ａ，６００ｂ，６００ｃ，及び光源制御部７００を含む。
【００４６】
液晶表示装置パネル１００には，ゲートオン信号を伝達するための複数の走査線と，これら複数の走査線と絶縁されて交差し，階調データに相当する階調電圧及びリセット電圧を伝達するための複数のデータ線が形成されている。行列形態に配列された複数の画素１１０は，各々走査線及びデータ線によって囲まれている。各画素は，走査線及びデータ線に各々ゲート電極及びソース電極が接続される薄膜トランジスタ（図示せず）と，薄膜トランジスタのドレイン電極に接続される画素キャパシタ（図示せず）と，ストレージキャパシタ（図示せず）とを含む。
【００４７】
走査ドライバ２００は，走査線に順に走査信号を印加し，走査信号が印加された走査線にゲート電極が接続されるＴＦＴをターンオンさせる。
【００４８】
タイミング制御部４００は，外部またはグラフィック制御部（図示せず）から階調データ信号Ｒ，Ｇ，Ｂ＿ＤＡＴＡ，水平同期信号Ｈｓｙｎｃ，垂直同期信号Ｖｓｙｎｃを受信して，必要な制御信号Ｓｇ，Ｓｄ，Ｓｂを各々走査ドライバ２００，データドライバ３００，及び光源制御部７００に供給し，階調データＲ，Ｇ，Ｂ＿ＤＡＴＡを階調電圧発生部５００に供給する。
【００４９】
階調電圧発生部５００は，階調データＲ，Ｇ，Ｂ＿ＤＡＴＡに相当する大きさを有する階調電圧を生成してデータドライバ３００に供給する。データドライバ３００は，階調電圧発生部５００から出力された階調電圧と，各画素をリセットするためのリセット電圧とを所定のデータ線に印加する。
【００５０】
発光ダイオード６００ａ，６００ｂ，６００ｃは，各々Ｒ，Ｇ，Ｂに相当する光Ｒ＿ｌｉｇｈｔ，Ｂ＿ｌｉｇｈｔ，Ｇ＿ｌｉｇｈｔを液晶表示装置パネルに向けて出力し，光源制御部７００は，発光ダイオード６００ａ，６００ｂ，６００ｃの点灯時期を制御する。本発明の実施例では，バックライトとして発光ダイオードを使用したが，本発明がこれに限定されるわけではない。
【００５１】
光源制御部７００は，発光ダイオード６００ａ，６００ｂ，６００ｃの点灯時期を制御信号Ｃｒ，Ｃｇ，Ｃｂによって制御する。これによって，発光ダイオード６００ａ，６００ｂ，６００ｃは，リセット区間ｔ１〜ｔ６を含む区間ＴＲ１，ＴＲ２，ＴＧ１，ＴＧ２，ＴＢ１，ＴＢ２において，光を所定のタイミングで出力するようになる。
【００５２】
本実施の形態において，データドライバ３００から階調電圧をデータ線に供給するタイミングと，光源制御部７００によってＲ，Ｇ，Ｂ発光ダイオード６００ａ，６００ｂ，６００ｃが点灯するタイミングは，タイミング制御部４００が出力する制御信号によって同期が取られる。
【００５３】
このように，本実施の形態によれば，リセット区間にもバックライトがオンして液晶に光が入射される。このため，階調電圧発生部５００は，リセット電圧に応じた光の透過量を考慮して階調データＲ，Ｇ，Ｂ＿ＤＡＴＡに対応する階調電圧を設定しなければならない。この階調電圧の具体的な設定方法については，ルックアップテーブルを利用した方式などを利用することが好ましい。
【００５４】
〈第２の実施の形態〉
図７〜図９を参照しながら，本発明の第２の実施の形態に係る駆動方法を説明する。本実施の形態に係る駆動方法は，デジタル方式のフィールド順次駆動方法に適用されるリセット駆動方法に関する。
【００５５】
図７に示すように，区間ＴＲ１１はＲに対する階調表示が行なわれるＲフィールドであり，区間ＴＧ１１はＧに対する階調表示が行なわれるＧフィールドであり，区間ＴＢ１１はＢに対する階調表示が行なわれるＢフィールドである。
【００５６】
図７に示すように，各区間ＴＲ１１，ＴＧ１１，ＴＢ１１が終了する直前の所定の時間ｔａ〜ｔｃ（リセット区間）において，液晶の状態をブラック状態に初期化するためのリセットパルスが液晶に印加される。
【００５７】
本実施の形態においては，リセットパルスとして，入力される階調波形とは関係なく所定の幅を有するパルスが用いられる。このとき，リセットパルスの幅は，液晶にどのようなレベルの電圧が印加された場合もこの液晶の状態を初期化させる（つまり，ブラック状態とする）ことができる大きさを有するように調整されることが好ましい。なお，図７の動作例では，リセットパルスは，入力される階調データＲ，Ｇ，Ｂ＿ＤＡＴＡと関係のない一定幅のパルスに設定されているが，入力される階調データＲ，Ｇ，Ｂ＿ＤＡＴＡに応じてリセットパルスのパルス幅を調整するようにしてもよい。
【００５８】
このようなリセットパルスの印加によって，各フィールド区間が終了する時点で，液晶の状態は全てブラック状態になる。したがって，各フィールド区間ＴＲ１１〜ＴＢ１１において，階調データＲ，Ｇ，Ｂ＿ＤＡＴＡに対応する階調波形によって液晶が駆動されるとき，現在のフィールドの画素に印加された階調波形が，その次のフィールドの画素の階調表示に影響を与えなくなる。
【００５９】
そして，本実施の形態によれば，リセット区間ｔａ，ｔｂ，ｔｃ（リセットパルスが印加される区間）においても，所定のバックライトがオンする。
【００６０】
また，図７に示したように，リセットパルスが液晶に印加されると，液晶がリセット区間の一部の区間（前半の区間）でブラック状態（液晶の光の透過率が“０”である状態）になる。そこで，本実施の形態においては，リセット区間の全区間でバックライトをオンさせず，液晶がブラック状態になる時点までバックライトをオンさせる。このように，リセット区間の一部の区間でのみバックライトをオンさせることによって，不必要なバックライト駆動が防止され，消費電力の低減が実現する。しかし，本発明はこれに限定されるものではなく，各リセット区間の全区間でバックライトをオンさせるようにしてもよい。
【００６１】
このように，本実施の形態によれば，各液晶の状態を初期化するためのリセット区間においてもバックライトがオンして，液晶に光が入射される。このため，図７に示したように，リセットパルスが印加されてから液晶がブラック状態になるまでの区間にも光が液晶を透過することになる。したがって，図４に示した従来の方式に比べて，輝度を向上させることができる。
【００６２】
図８及び図９は，本実施の形態に係るリセットパルスを印加するための液晶表示装置を示す図面である。図８に示した本実施の形態に係る液晶表示装置において，図６に示した第１の実施の形態に係る液晶表示装置と略同一な部分には同一の符号を付し，以下重複する説明を省略する。
【００６３】
図８に示したように，階調波形生成部８００は，階調データＲ，Ｇ，Ｂ＿ＤＡＴＡに相当する電圧幅を有する階調波形を生成してデータドライバ３００に供給する。そして，データドライバ３００は，階調波形生成部８００によって出力される階調波形とリセットパルスとを所定のデータ線に供給する。そして，光源制御部７００は，発光ダイオード６００ａ，６００ｂ，６００ｃの点灯時期を制御信号Ｃｒ，Ｃｇ，Ｃｂによって制御する。これによって，発光ダイオード６００ａ，６００ｂ，６００ｃは，リセット区間ｔａ，ｔｂ，ｔｃを含む区間ＴＲ１１，ＴＧ１１，ＴＢ１１において，光を所定のタイミングで出力するようになる。
【００６４】
本実施の形態よれば，リセットパルスが液晶に印加されるリセット区間にもバックライトがオンして液晶に光が入射させる。このため，階調波形生成部８００は，リセット電圧に応じた光の透過量を考慮して階調データＲ，Ｇ，Ｂ＿ＤＡＴＡに対応する階調波形を設定しなければならない。この階調波形の具体的な設定方法については，ルックアップテーブルを利用した方式などを利用することが好ましい。
【００６５】
図９は，図８に示した液晶表示装置に備えられた階調波形生成部８００を詳細に示す図面である。
【００６６】
図９に示したように，階調波形生成部８００は，電圧印加時間制御部８２０，パターンテーブル８４０，定電圧発生部８６０，及びスイッチ８８０を含む。
【００６７】
パターンテーブル８４０は，階調データＲ，Ｇ，Ｂ＿ＤＡＴＡに相当する階調波形パターン（オン／オフパターン）を保存している。本実施の形態においては，パターンテーブル８４０は，６ビットの階調データＲ，Ｇ，Ｂ＿ＤＡＴＡに対応する４ビットのオン／オフパターンを保存している。例えば，“１０１１１１”の６ビットの階調データＲ，Ｇ，Ｂ＿ＤＡＴＡに対応して“１０１１”のオン／オフパターン（ここで”１”はオン波形，”０”はオフ波形を意味する）を保存している。
【００６８】
電圧印加時間制御部８２０は，入力される階調データＲ，Ｇ，Ｂ＿ＤＡＴＡに対応する階調波形パターン（オン／オフパターン）をパターンテーブル８４０から抽出して，抽出した階調波形パターンに応じて，スイッチ８８０のオン／オフ動作及びオン／オフ時間を制御する。具体的には，電圧印加時間制御部８２０は，抽出した階調波形パターン（オン／オフパターン）の値が”１”である場合には，予め設定された時間だけ液晶をオンさせるための第１電圧Ｖｏｎが液晶に印加されるようにスイッチ８８０を制御し，”０”である場合には，液晶をオフさせるための第２電圧Ｖｏｆｆ（例えば，０Ｖ）が液晶に印加されるようにスイッチ８８０を制御する。定電圧発生部８６０は，第１電圧Ｖｏｎ及び第２電圧Ｖｏｆｆを生成して，スイッチ８８０に供給する。
【００６９】
スイッチ８８０は，電圧印加時間制御部８２０の制御動作によって定電圧発生部８６０から出力される第１電圧Ｖｏｎまたは第２電圧Ｖｏｆｆを選択して，階調波形をデータドライバ３００に出力する。
【００７０】
以上，添付図面を参照しながら本発明の好適な実施形態について説明したが，本発明は係る例に限定されない。当業者であれば，特許請求の範囲に記載された範疇内において，各種の変更例または修正例に想到し得ることは明らかであり，それらについても当然に本発明の技術的範囲に属するものと了解される。
【００７１】
例えば，液晶に階調電圧または階調波形を印加するタイミングとほぼ同時にバックライトをオンさせることを例として本発明の実施の形態を説明したが，階調電圧または階調波形を液晶に印加した後，液晶の光の透過率が比較的一定な状態に到達したときにバックライトをオンさせるようにしてもよい。
【産業上の利用可能性】
【００７２】
本発明は，フィールド順次駆動方式の液晶表示装置に適用可能である。
【図面の簡単な説明】
【００７３】
【図１】従来のＴＦＴ液晶表示装置の画素の構成を示す回路図である。
【図２】従来のアナログ方式の液晶表示装置の駆動方法を説明するための波形図である。
【図３】従来のデジタル方式の液晶表示装置の駆動方法を説明するための波形図である。
【図４】従来の液晶表示装置のリセット駆動方法を説明するための波形図である。
【図５】本発明の第１の実施の形態に係る液晶表示装置の駆動方法を示す波形図である。
【図６】本発明の第１の実施の形態に係る液晶表示装置の構成を示すブロック図である。
【図７】本発明の第２の実施の形態に係る液晶表示装置の駆動方法を示す波形図である。
【図８】本発明の第２の実施の形態に係る液晶表示装置の構成を示すブロック図である。
【図９】図８の液晶表示装置に備えられた階調波形生成部の構成を示すブロック図である。
【符号の説明】
【００７４】
１００      液晶表示装置パネル
２００      走査ドライバ
３００      データドライバ
４００      タイミング制御部
５００      階調電圧発生部
６００ａ，６００ｂ，６００ｃ      発光ダイオード
７００      光源制御部
８００      階調波形生成部
【図１】
2005338753.tif 000003
【図２】
2005338753.tif 000004
【図３】
2005338753.tif 000005
【図４】
2005338753.tif 000006
【図５】
2005338753.tif 000007
【図６】
2005338753.tif 000008
【図７】
2005338753.tif 000009
【図８】
2005338753.tif 000010
【図９】
2005338753.tif 000011